(57)【要約】【課題】壁面内に開口部分を有する既設コンクリート壁や、梁部端面に対して段差を有する既設コンクリート壁について、耐震性が極めて高く、かつ施工が簡単な補強構造を提供する。【解決手段】壁面内に開口部分を有する既設コンクリート壁の補強構造であって、前記開口部内に、同開口部の内周端面から所定間隙をあけて、外周端に枠部を立設した鋼製の補強鋼板を配設し、前記開口部の内周端面と枠部との間、及び枠部内に充填材を充填して開口部を閉塞し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。【選択図】　　　　　図１
2004036347.tif 000002
【特許請求の範囲】
【請求項１】
壁面内に開口部分を有する既設コンクリート壁の補強構造であって、
前記開口部内に、同開口部の内周端面から所定間隙をあけて、外周端に枠部を立設した鋼製の補強鋼板を配設し、前記開口部の内周端面と枠部との間、及び枠部内に充填材を充填して開口部を閉塞し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしたことを特徴とする既設コンクリート壁の補強構造。
【請求項２】
補強鋼板の枠部と開口部の内周端面とを連結体を介して連結するとともに、前記連結体をアンカー及び／又はスタッドとしたことを特徴とする請求項１記載の既設コンクリート壁の補強構造。
【請求項３】
壁面内に開口部分を有する既設コンクリート壁の補強構造であって、
前記開口部内に補強枠を配設し、開口部の内周端面と補強枠外面との間に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしたことを特徴とする既設コンクリート壁の補強構造。
【請求項４】
補強枠の外周面にスタッドを立設したことを特徴とする請求項３記載の既設コンクリート壁の補強構造。
【請求項５】
梁部端面に対して段差を有する既設コンクリート壁の補強構造であって、
既設コンクリート壁に連設された梁部に、前記既設コンクリート壁表面に沿った鉄筋埋設用孔を穿設し、補強鉄筋を、その端部を引抜防止用接着剤を介して前記鉄筋埋設用孔に挿通した状態で既設コンクリート壁の表面に配設し、同補強用鉄筋が埋設されるように、前記引抜防止用接着剤と同一材料からなる補強材により既設コンクリート壁を増厚し、しかも、引抜防止用接着剤と補強材とを、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしたことを特徴とする既設コンクリート壁の補強構造。
【請求項６】
梁部端面に対して段差を有する既設コンクリート壁の補強構造であって、
既設コンクリート壁面に対して所定間隙をあけて補強鋼板を配設し、同補強鋼板の外周端に立設した枠部と前記段差部とをアンカーにより連結固定するとともに、既設コンクリート壁と補強鋼板との間、及び枠部内に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしたことを特徴とする既設コンクリート壁の補強構造。
【発明の詳細な説明】
【０００１】
【発明の属する技術分野】
本発明は、壁面内に開口部分を有する既設コンクリート壁の補強構造や、梁部端面に対して段差を有する既設コンクリート壁の補強構造に関するものである。
【０００２】
【従来の技術】
従来、柱と梁との間に形成されたコンクリート壁を、地震などに耐えられるように補強する場合、下記に示すような補強構造があった。
【０００３】
例えば、壁面内に開口部分を有する既設コンクリート壁面であれば、前記開口部内に、外面に多数のスタッドを立設した補強枠を配設し、開口部の内周端面と補強枠外面との間にモルタルなどを充填した補強構造。
【０００４】
また、梁部端面に対して段差を有する既設コンクリート壁面であれば、同既設コンクリート壁面に対して所定間隙をあけて補強鋼板を配設し、同補強鋼板の外周端に立設した枠部と前記段差部とを多数のアンカーにより連結固定するとともに、既設コンクリート壁と補強鋼板との間にモルタルなどを充填した構造。
【０００５】
【発明が解決しようとする課題】
ところが、上記従来の補強方法には未だ下記の問題が残されていた。
【０００６】
すなわち、鋼板などとモルタルとは接着力が弱いためにアンカーやスタッドを用いていたが、かかるアンカーやスタッドにしてもモルタルとの付着力が弱いために、緩みが生じたりして抜けるおそれがあり、耐震面においても十分な補強にならなかった。
【０００７】
したがって、アンカーやスタッドの本数を増やさざるを得ず、工事の手間がかかる上に施工コストが嵩んでいた。
【０００８】
本発明は、上記課題を解決することのできる既設コンクリート壁の補強構造を提供することを目的としている。
【０００９】
【課題を解決するための手段】
上記課題を解決するために、請求項１記載の本発明では、壁面内に開口部分を有する既設コンクリート壁の補強構造であって、前記開口部内に、同開口部の内周端面から所定間隙をあけて、外周端に枠部を立設した鋼製の補強鋼板を配設し、前記開口部の内周端面と枠部との間、及び枠部内に充填材を充填して開口部を閉塞し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。
【００１０】
また、請求項２記載の本発明では、上記補強鋼板の枠部と開口部の内周端面とを連結体を介して連結するとともに、前記連結体をアンカー及び／又はスタッドとした。
【００１１】
請求項３記載の本発明では、壁面内に開口部分を有する既設コンクリート壁の補強構造であって、前記開口部内に補強枠を配設し、開口部の内周端面と補強枠外面との間に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。
【００１２】
また、請求項４記載の本発明では、上記補強枠の外周面にスタッドを立設した。
【００１３】
請求項５記載の本発明では、梁部端面に対して段差を有する既設コンクリート壁の補強構造であって、既設コンクリート壁に連設された梁部に、前記既設コンクリート壁表面に沿った鉄筋埋設用孔を穿設し、補強鉄筋を、その端部を引抜防止用接着剤を介して前記鉄筋埋設用孔に挿通した状態で既設コンクリート壁の表面に配設し、同補強用鉄筋が埋設されるように、前記引抜防止用接着剤と同一材料からなる補強材により既設コンクリート壁を増厚し、しかも、引抜防止用接着剤と補強材とを、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。
【００１４】
請求項６記載の本発明では、梁部端面に対して段差を有する既設コンクリート壁の補強構造であって、既設コンクリート壁面に対して所定間隙をあけて補強鋼板を配設し、同補強鋼板の外周端に立設した枠部と前記段差部とをアンカーにより連結固定するとともに、既設コンクリート壁と補強鋼板との間、及び枠部内に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。
【００１５】
【発明の実施の形態】
本発明は、壁面内に開口部分を有する既設コンクリート壁の補強構造であって、前記開口部内に、同開口部の内周端面から所定間隙をあけて、外周端に枠部を立設した鋼製の補強鋼板を配設し、前記開口部の内周端面と枠部との間、及び枠部内に充填材を充填して開口部を閉塞し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしたものである。
【００１６】
すなわち、壁面に開口部があった場合、耐震構造としてより強度を増すためには開口部を閉塞したり、開口部面積を縮小したりする必要があるが、そのときに、例えば閉塞する場合であれば、上記したように開口部の内周端面から所定間隙をあけて、外周端に枠部を立設した鋼製の補強鋼板を配設し、前記開口部の内周端面と枠部との間、及び枠部内に充填材を充填して開口部を閉塞するのである。そして、このときに充填材として、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントを用いるものである。
【００１７】
上記成分構成のポリマーセメントであれば、極めて高い付着力、引張強度、曲げ強度を有するので、十分な靭性と柔軟性を有しており、補強鋼板との接着力も十分である。そして、きわめて簡単な補強構造となるので、施工も簡単であり、施工コストの削減が可能となる。
【００１８】
また、上記補強鋼板の枠部と開口部の内周端面とを連結体を介して連結するとともに、前記連結体をアンカー及び／又はスタッドとすることができる。
【００１９】
かかるアンカー及び／又はスタッドを用いることで、より強固な補強が可能となるとともに、上述した成分構成のポリマーセメントを用いることで、アンカー及び／又はスタッドの使用本数を可及的に削減することができ、施工コストの低減が可能となる。
【００２０】
また、開口部面積を縮小するのであれば、前記開口部内に補強枠を配設し、開口部の内周端面と補強枠外面との間に上記した成分からなる充填材を充填することもできる。
【００２１】
かかる構成では、必要に応じて開口部の面積を縮小して壁の耐震性を高めることができ、しかも、前述したように、充填材は極めて高い付着力、引張強度、曲げ強度を有するので、十分な靭性と柔軟性を有しており、補強枠との接着力も十分である。
【００２２】
さらに、上記補強枠の外周面にスタッドを立設すれば、より強固な補強が可能となる。
【００２３】
他の実施形態として、梁部端面に対して段差を有する既設コンクリート壁の補強構造の場合、下記のようにすることができる。
【００２４】
すなわち、既設コンクリート壁に連設された梁部に、前記既設コンクリート壁表面に沿った鉄筋埋設用孔を穿設し、補強鉄筋を、その端部を引抜防止用接着剤を介して前記鉄筋埋設用孔に挿通した状態で既設コンクリート壁の表面に配設し、同補強用鉄筋が埋設されるように、前記引抜防止用接着剤と同一材料からなる補強材により既設コンクリート壁を増厚し、しかも、引抜防止用接着剤と補強材とを、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとするものである。
【００２５】
この場合、補強鉄筋の端部が鉄筋埋設用孔内に引抜防止用接着剤によって強固に固着されて、なおかつ引抜防止用接着剤と同一の成分構成からなる補強材により既設コンクリート壁が増厚されるので、やはりきわめて簡単な補強構造となるとともに、施工も簡単で施工コストの削減が可能となる。
【００２６】
さらに、既設のコンクリート壁面に対して所定間隙をあけて補強鋼板を配設し、同補強鋼板の外周端に立設した枠部と前記段差部とをアンカーにより連結固定するとともに、既設コンクリート壁と補強鋼板との間、及び枠部内に上述してきた成分構成のポリマーセメントからなる充填材を充填した補強構造としてもよい。
【００２７】
この場合についても、補強構造としては簡単でありながら、きわめて強固な補強が可能となる。
【００２８】
ところで、上述してきた実施の形態で用いるポリマーセメントとして、より望ましくは架橋材としてＺｎＯを使用し、また助材としてアミノ酸の一つで動物蛋白質に多く含まれているグリシンを使用するものとする。
【００２９】
すなわち、ポリマーセメントの上記物性をより高めることができ、さらに、コンクリート躯体が変位したりしてもその動きに追従するので、後に補強部分がひび割れしたり崩壊することを確実に防止することができる。また、防錆機能を果たすことが確認されているので、補強鋼板や補強枠、あるいはアンカーやスタッドなどが錆びて劣化することを防止して補強効果を長期にわたって持続させることができ、十分な耐震効果を得ることができる。
【００３０】
【実施例】
以下、添付図に基づいて、本発明を具体的に説明する。
【００３１】
（第１実施例）
図１（ａ）〜（ｆ）及び図２（ａ）〜（ｆ）は、第１実施例に係る補強構造が適用可能な各種の既設コンクリート壁を示している。図中、１は既設のコンクリート壁、２は柱部、３は梁部である。また、４は開口部であり、壁面内に様々な形状、大きさで形成されている。４０は袖壁、あるいは垂壁、あるいは腰壁などと呼ばれる部分である。
【００３２】
また、図３は本実施例に係る補強構造の正面視による説明図、図４は図３のＩ−Ｉ線における断面図である。
【００３３】
本実施例では、図示するように、壁面内に開口部４を有する既設のコンクリート壁１の補強構造としており、図３及び図４に示すように、前記開口部４内に、同開口部４の内周端面から所定間隙をあけて、外周端に鋼製の枠部５０を立設した補強鋼板５を配設し、前記開口部４の内周端面４１と枠部５０との間、及び枠部５０内に充填材Ｍを充填して開口部４を閉塞するようにしている。したがって、閉塞された開口部４の一側からは補強鋼板５の背面が露呈している。なお、補強鋼板５は、縦リブ５１と横リブ５２を設けて強度を高めており、地震などによる座屈降伏を防止している。さらに、枠部５０内に充填材Ｍを充填する際には補強筋５５を配設して強度を向上させるようにしている。
【００３４】
また、本実施例では、上記補強鋼板５の枠部５０と開口部４の内周端面４１とを連結体としてのアンカー６を介して連結している。
【００３５】
上記充填材Ｍは、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしている。さらに、架橋材としてＺｎＯを使用するとともに、助剤としてグリシンを使用して金属架橋を促すようにすることもできる。
【００３６】
かかるポリマーセメントは、極めて高い付着力、引張強度、曲げ強度を有し、かつ十分な靭性と柔軟性を有するので、コンクリート躯体である既設のコンクリート壁１が変位したりしてもその動きに追従し、後に補強部分がひび割れしたり崩壊することを確実に防止することができる。また、耐震構造としても十分な強度を有し、アンカー６などが緩んで抜けを生じたりすることもない。
【００３７】
上記ポリマーセメントの強力な付着力は、下記のメカニズムから生じると考えられる。
【００３８】
すなわち、無機物質は、一般に構成元素が規則的に配列した結晶構造をもっており、大きな機械的強度や高い融点を有する優れた性質を有する一方、表面の構造欠陥も大きく、脆性体としての特徴もある。
【００３９】
このような表面は水を吸着して安定化しようとし、表面で解離した水のＨ＋は表面の酸素と結合して水酸基ＯＨを形成する。
【００４０】
この水酸基は有機物との化学反応性があり、また、主材中の酸化珪素の表面は極性が大きく反応性に富んでいるので種々な有機反応が可能である。
【００４１】
またセメント成分であるＣａＯは塩基性の強い酸化物で、Ｃａ＋２の成分を溶出し、水和を内部まで進行させる。
【００４２】
無機素材を水などの溶液に接触させると、表面水酸基の解離、イオンの吸着、分子の双極子配向などにより界面に電位差を生じ、電気二重層を形成させる。無機素材表面の電化の性質は分散、吸着、電着による表面改質や素材間の吸着に大きな影響力をもつ。また、この電荷はアルカリ性環境下で負電荷を帯びる。さらに、アルカリ性で電解質が存在する条件下では吸着量が増大する。
【００４３】
上記したポリマーセメントモルタルからなる充填材Ｍは、無機質主剤が有するこのような性質を、多数の親水基をもち屈曲性を有する水溶性のアクリル酸エステルを主成分とする複合ポリマーエマルジョンと混和し、その相互作用により固体表面への吸着性能の大きい、耐水性、耐環境性に優れた接着層を形成することから、強力な付着力が生じるものと考えられている。
【００４４】
しかも、上記したように、セメント成分の強アルカリ環境にあるので、補強鋼板５やアンカー６などで発生しやすい錆を、不動酸化物の一種でその主成分が水化酸化鉄（ＩＩ）である酸化皮膜（黒錆）に変性させて腐食を防止することができる。したがって、補強効果をきわめて長期間維持することができる。
【００４５】
（第２実施例）
図５〜図８は本発明に係る補強構造の第２実施例を示しており、図５は正面視による説明図、図６は図５のＩＩ−ＩＩ線における断面図、図７及び図８は第２実施例の変形例を示す説明図である。
【００４６】
図示するように、本実施例では、前記開口部４内に補強枠７を配設し、開口部４の内周端面と補強枠７の外面との間に充填材Ｍを充填した構造としている。
【００４７】
すなわち、第１実施例のように開口部４を閉塞するのではなく、開口面積を縮小して壁面積を拡大することによる補強構造としている。開口面積の縮小率などは、必要強度に応じて算出するようにしている。なお、上記充填材Ｍは、第１実施例と同様な成分構成としているのでここでの説明は省略する。
【００４８】
さらに、本実施例では、図６に示すように、補強枠７を所定の厚みと幅を有する中空構造とし、その外周面にスタッド８を立設している。そして、かかるスタッド８を充填材Ｍに噛み込ませることによって補強構造の強度をより向上させている。
【００４９】
また、図７に示すように、スタッド８に加えて、さらにアンカー６を用いて、より強固な補強構造となすこともできる。
【００５０】
あるいは、図８に示すように、開口部４の内周端面と補強枠７の外面との間に充填した充填材Ｍ内に、格子状の所謂はしご筋８’を配設することができる。このはしご筋８’により、充填材Ｍの幅が大きい場合に引き起こされるおそれのあるせん断破壊を防止することができる。
【００５１】
ところで、第１、第２実施例においては、アンカー６やスタッド８を用いた構造としたが、上述した成分構成の充填材Ｍは強力な付着力を有することから、これらアンカー６やスタッド８を使用しなくても既設のコンクリート壁１の補強は可能である。また、使用するにしても、通常のモルタルなどを使用する場合に比べて使用本数を大幅に減じることができる。
【００５２】
（第３実施例）
図９に本発明に係る補強構造の第３実施例を示す。これは、梁部３の端面に対して段差を有する既設のコンクリート壁１を補強する場合である。補強対象となる既設のコンクリート壁１の壁面は凹状になっており、これを増厚して補強する場合である。
【００５３】
図９に示すように、既設のコンクリート壁１に連設された梁部３に、前記コンクリート壁１の表面に沿った鉄筋埋設用孔１０を穿設している。
【００５４】
そして、例えば格子状とした補強鉄筋９を、その端部を引抜防止用接着剤Ｍ’を介して前記鉄筋埋設用孔１０に挿通し、その状態で既設のコンクリート壁１の表面に配設している。このとき、補強鉄筋９は留金具９０を介してアンカー６’により固定するとよい。
【００５５】
そして、同補強鉄筋９を埋設するように、前記引抜防止用接着剤Ｍ’と同一材料からなる充填材Ｍにより壁面を所定厚さまで増厚している。
【００５６】
ここで、前記引抜防止用接着剤Ｍ’と充填材Ｍとは、第１、第２実施例で用いた充填材Ｍと同一の成分構成としている。すなわち、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとしている。
【００５７】
かかる補強構造では、補強鉄筋９の端部が鉄筋埋設用孔１０内に引抜防止用接着剤Ｍ’によって強固に固着されて、なおかつ引抜防止用接着剤Ｍ’と同一の成分構成からなる充填材Ｍにより既設のコンクリート壁１が増厚されるので、極めて簡単な補強構造になり、施工も簡単なので施工コストの削減が可能となる。
【００５８】
（第４実施例）
図１０に本発明に係る補強構造の第４実施例を示す。
【００５９】
これは、やはり梁部３の端面に対して段差を有する既設のコンクリート壁１の補強構造であり、既設のコンクリート壁１の補強対象となる壁面に対して所定間隙をあけて補強鋼板５’を配設し、同補強鋼板５’の外周端に立設した枠部５３と前記段差部とをアンカー６により連結固定するとともに、既設のコンクリート壁１と補強鋼板５’との間、及び枠部５３内に、上述してきた成分構成のポリマーセメントからなる充填材Ｍを充填した補強構造としている。ここでも補強鋼板５’には、第１実施例同様のリブ５１（５２）を設けて強度ＵＰを図っている。この場合も簡単な構造でありながら耐震構造として十分は補強となる。なお、この場合も第１実施例同様に枠部５３内に補強筋を配設してもよい。
【００６０】
【発明の効果】
以上説明してきたように、本発明は上記した形態で実施されるものであり、以下の効果を奏する。
【００６１】
（１）請求項１記載の本発明では、壁面内に開口部分を有する既設コンクリート壁の補強構造であって、前記開口部内に、同開口部の内周端面から所定間隙をあけて、外周端に枠部を立設した鋼製の補強鋼板を配設し、前記開口部の内周端面と枠部との間、及び枠部内に充填材を充填して開口部を閉塞し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。したがって、充填材は極めて高い付着力、引張強度、曲げ強度を有し、十分な靭性と柔軟性を有しており、補強鋼板との接着力も十分であることから、アンカーなどを用いることなく施工がきわめて簡単な強固な補強構造となり、施工コストの削減が可能となる。
【００６２】
（２）請求項２記載の本発明では、上記補強鋼板の枠部と開口部の内周端面とを連結体を介して連結するとともに、前記連結体をアンカー及び／又はスタッドとしたことにより、より強固な補強が可能となるとともに、上述した成分構成のポリマーセメントを用いることで、アンカー及び／又はスタッドの使用本数を可及的に削減することができ、施工コストの低減が可能となる。
【００６３】
（３）請求項３記載の本発明では、壁面内に開口部分を有する既設コンクリート壁の補強構造であって、前記開口部内に補強枠を配設し、開口部の内周端面と補強枠外面との間に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。したがって、必要に応じて開口部の面積を縮小して壁の耐震性を高めることができ、しかも、前述したように、充填材は極めて高い付着力、引張強度、曲げ強度を有するので、十分な靭性と柔軟性を有しており、補強枠との接着力も十分となる。
【００６４】
（４）請求項４記載の本発明では、上記補強枠の外周面にスタッドを立設したことにより、より強固な補強が可能となる。
【００６５】
（５）請求項５記載の本発明では、梁部端面に対して段差を有する既設コンクリート壁の補強構造であって、既設コンクリート壁に連設された梁部に、前記既設コンクリート壁表面に沿った鉄筋埋設用孔を穿設し、補強鉄筋を、その端部を引抜防止用接着剤を介して前記鉄筋埋設用孔に挿通した状態で既設コンクリート壁の表面に配設し、同補強用鉄筋が埋設されるように、前記引抜防止用接着剤と同一材料からなる補強材により既設コンクリート壁を増厚し、しかも、引抜防止用接着剤と補強材とを、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。したがって、補強鉄筋の端部が鉄筋埋設用孔内に引抜防止用接着剤によって強固に固着されて、なおかつ引抜防止用接着剤と同一の成分構成からなる補強材により既設コンクリート壁が増厚されるので、やはりきわめて簡単な補強構造となるとともに、施工も簡単で施工コストの削減が可能となる。
【００６６】
（６）請求項６記載の本発明では、梁部端面に対して段差を有する既設コンクリート壁面の補強構造であって、前記既設コンクリート壁面に対して所定間隙をあけて補強鋼板を配設し、同補強鋼板の外周端に立設した枠部と前記段差部とをアンカーにより連結固定するとともに、既設コンクリート壁と補強鋼板との間、及び枠部内に充填材を充填し、しかも、同充填材は、アクリル酸エステル共重合体を主成分とする複合ポリマーエマルジョンと、酸化珪素、酸化カルシウム、酸化鉄を主成分とした主材、又はセメント、砂、砂利を主成分としたコンクリートとを、１：３〜１０の割合で混合したポリマーセメントとした。したがって、上記（１）同様に、補強構造としては簡単でありながら、きわめて強固な補強が可能となる。
【図面の簡単な説明】
【図１】第１実施例に係る補強構造が適用可能な各種の既設コンクリート壁を示す説明図である。
【図２】第１実施例に係る補強構造が適用可能な各種の既設コンクリート壁を示す説明図である。
【図３】第１実施例に係る補強構造の正面視による説明図である。
【図４】図３のＩ−Ｉ線における断面図である。
【図５】第２実施例に係る補強構造の正面視による説明図である。
【図６】図５のＩＩ−ＩＩ線における断面図である。
【図７】第２実施例に係る補強構造の一変形例を示す説明図である。
【図８】第２実施例に係る補強構造の一変形例を示す説明図である。
【図９】第３実施例に係る補強構造の説明図である。
【図１０】第４実施例に係る補強構造の説明図である。
【符号の説明】
１　既設のコンクリート壁
２　柱部
３　梁部
４　開口部
５　補強鋼板
６　アンカー
７　補強枠
８　スタッド
【図１】
2004036347.tif 000003
【図２】
2004036347.tif 000004
【図３】
2004036347.tif 000005
【図４】
2004036347.tif 000006
【図５】
2004036347.tif 000007
【図６】
2004036347.tif 000008
【図７】
2004036347.tif 000009
【図８】
2004036347.tif 000010
【図９】
2004036347.tif 000011
【図１０】
2004036347.tif 000012